【手続補正書】
【提出日】令和3年8月19日(2021.8.19)
【手続補正１】
【補正対象書類名】特許請求の範囲
【補正対象項目名】全文
【補正方法】変更
【補正の内容】
【特許請求の範囲】
【請求項１】
調節可能マウスであって、
基部部分であって、前記基部部分は、平坦表面上に静置するように構成される平坦底部と、湾曲上部とを含む、基部部分と、
パームレスト部分であって、前記パームレスト部分は、ユーザの手にフィットするように輪郭が付けられるように構成される本体と、前記基部部分の湾曲上部と噛合するように構成される湾曲底部とを含む、パームレスト部分と、
機構であって、前記機構は、前記パームレスト部分を所望の角度の傾斜において前記基部部分に固着させるように構成される、機構と、
親指調節アセンブリであって、前記親指調節アセンブリは、サムレスト部分を後退位置と延在位置との間で移動させるように構成され、前記親指調節アセンブリは、前記サムレスト部分の本体から延在するシャフトを含み、前記シャフトは、枢動支柱を中心として回転するように構成されるブラケットによって、前記枢動支柱に結合され、前記シャフトは、それによって、前記枢動支柱を中心として枢動するように構成される、親指調節アセンブリと
を備える、調節可能マウス。
【請求項２】
前記機構は、２１度の示される最小角度〜３６度の最大角度の前記パームレスト部分と前記基部部分との間の傾斜角度を達成するように構成される、請求項１に記載の調節可能マウス。
【請求項３】
前記機構は、前記パームレスト部分の湾曲底部内に形成される少なくとも１つのスロットと、少なくとも１つのスライドアンカと、少なくとも１つのスライドレールとを含み、前記少なくとも１つのスライドレールは、前記少なくとも１つのスロット内に位置付けられる、請求項１に記載の調節可能マウス。
【請求項４】
前記機構はさらに、前記少なくとも１つのスライドアンカを前記少なくとも１つのスライドレールに締結させ、前記パームレスト部分の底部を前記少なくとも１つのスライドアンカと前記少なくとも１つのスライドレールとの間に圧着するねじ山付き締結具を含む、請求項１に記載の調節可能マウス。
【請求項５】
前記機構は、２つのスロットと、２つの個別のスライドアンカおよびスライドレールとを含む、請求項４に記載の調節可能マウス。
【請求項６】
前記パームレスト部分の本体は、前記ユーザが前記調節可能マウスを動作させるために操作する少なくとも１つのフィンガボタンおよび／またはスクロールホイールを含む、請求項１に記載の調節可能マウス。
【請求項７】
前記親指調節アセンブリは、前記パームレスト部分に結合される、請求項１に記載の調節可能マウス。
【請求項８】
前記シャフトは、ハブ内に摩擦受容され、伸縮自在方式において、前記サムレスト部分を延在および後退させる、請求項１に記載の調節可能マウス。
【請求項９】
前記枢動支柱は、前記基部部分の湾曲上部から延在する、請求項１に記載の調節可能マウス。
【請求項１０】
前記枢動支柱は、円筒形シャフトと、前記円筒形シャフトをその中に摩擦受容するように構成される円筒形ハブとを含み、前記円筒形シャフトは、一端において、前記ブラケットに固着され、他端は、前記円筒形ハブ内に摩擦受容され、前記円筒形ハブは、前記基部部分の湾曲上部上に搭載される、請求項９に記載の調節可能マウス。
【請求項１１】
前記円筒形シャフトは、前記ブラケットに固着され、前記円筒形ハブおよび前記円筒形シャフトが、前記枢動支柱に対して回転することを可能にする、請求項１０に記載の調節可能マウス。
【請求項１２】
前記シャフトは、ボール継手によって、前記サムレスト部分に固着される、請求項１に記載の調節可能マウス。
【請求項１３】
調節可能マウスであって、
基部部分と、
前記基部部分に結合されるパームレスト部分であって、前記パームレスト部分は、所望の角度の傾斜において前記基部部分に固着されるように構成される、パームレスト部分と、
前記基部部分に結合される親指調節アセンブリであって、前記親指調節アセンブリは、サムレスト部分を後退位置と延在位置との間で移動させるように構成され、前記親指調節アセンブリは、前記サムレスト部分の本体から延在するシャフトを含み、前記シャフトは、枢動支柱を中心として回転するように構成されるブラケットによって、前記枢動支柱に結合され、前記シャフトは、それによって、前記枢動支柱を中心として枢動するように構成される、親指調節アセンブリと
を備える、調節可能マウス。
【請求項１４】
前記親指調節アセンブリは、前記パームレスト部分に結合される、請求項１３に記載の調節可能マウス。
【請求項１５】
前記枢動支柱は、前記基部部分の湾曲上部から延在する、請求項１３に記載の調節可能マウス。
【請求項１６】
前記枢動支柱は、円筒形シャフトと、前記円筒形シャフトをその中に摩擦受容するように構成される円筒形ハブとを含み、前記円筒形シャフトは、一端において、前記ブラケットに固着され、他端は、前記円筒形ハブ内に摩擦受容され、前記円筒形ハブは、前記基部部分の湾曲上部上に搭載される、請求項１５に記載の調節可能マウス。
【請求項１７】
前記円筒形シャフトは、前記ブラケットに固着され、前記円筒形ハブおよび前記円筒形シャフトが、前記枢動支柱に対して回転することを可能にする、請求項１６に記載の調節可能マウス。
【請求項１８】
前記パームレスト部分を所望の角度の傾斜において前記基部部分に固着させるように構成される機構をさらに備える、請求項１３に記載の調節可能マウス。
【請求項１９】
前記機構は、２１度の示される最小角度〜３６度の最大角度の前記パームレスト部分と前記基部部分との間の傾斜角度を達成するように構成される、請求項１８に記載の調節可能マウス。
【請求項２０】
前記機構は、前記パームレスト部分の湾曲底部内に形成される少なくとも１つのスロットと、少なくとも１つのスライドアンカと、少なくとも１つのスライドレールとを含み、前記少なくとも１つのスライドレールは、前記少なくとも１つのスロット内に位置付けられる、請求項１８に記載の調節可能マウス。
【請求項２１】
前記機構はさらに、前記少なくとも１つのスライドアンカを前記少なくとも１つのスライドレールに締結させ、前記パームレスト部分の底部を前記少なくとも１つのスライドアンカと前記少なくとも１つのスライドレールとの間に圧着するねじ山付き締結具を含む、請求項２０に記載の調節可能マウス。
【請求項２２】
前記機構は、２つのスロットと、２つの個別のスライドアンカおよびスライドレールとを含む、請求項２１に記載の調節可能マウス。
【手続補正２】
【補正対象書類名】明細書
【補正対象項目名】００１７
【補正方法】変更
【補正の内容】
【００１７】
調節可能マウスの実施形態はさらに、基部を、基部部分と、ヒンジによって基部部分にヒンジ式固着されるパームレスト部分とを有するように構成するステップを含んでもよい。
本願明細書は、例えば、以下の項目も提供する。
（項目１）
調節可能マウスであって、
基部部分であって、前記基部部分は、平坦表面上に静置するように構成される平坦底部と、湾曲上部とを含む、基部部分と、
パームレスト部分であって、前記パームレスト部分は、ユーザの手にフィットするように輪郭が付けられるように構成される本体と、前記基部部分の湾曲上部と噛合するように構成される湾曲底部とを含む、パームレスト部分と、
機構であって、前記機構は、前記パームレスト部分を所望の角度の傾斜において前記基部部分に固着させるように構成される、機構と
を備える、調節可能マウス。
（項目２）
前記機構は、２１度の示される最小角度〜３６度の最大角度の前記パームレスト部分と前記基部部分との間の傾斜角度を達成するように構成される、項目１に記載の調節可能マウス。
（項目３）
前記機構は、前記パームレスト部分の湾曲底部内に形成される少なくとも１つのスロットと、少なくとも１つのスライドアンカと、少なくとも１つのスライドレールとを含み、前記少なくとも１つのスライドレールは、前記少なくとも１つのスロット内に位置付けられる、前記項目のいずれかに記載の調節可能マウス。
（項目４）
前記機構はさらに、前記少なくとも１つのスライドアンカを前記少なくとも１つのスライドレールに締結させ、前記パームレスト部分の底部を前記少なくとも１つのスライドアンカと前記少なくとも１つのスライドレールとの間に圧着するねじ山付き締結具を含む、項目３に記載の調節可能マウス。
（項目５）
前記機構は、２つのスロットと、２つの個別のスライドアンカおよびスライドレールとを含む、項目３および４のいずれかに記載の調節可能マウス。
（項目６）
前記パームレスト部分の本体は、前記ユーザが前記調節可能マウスを動作させるために操作する少なくとも１つのフィンガボタンおよび／またはスクロールホイールを含む、前記項目のいずれかに記載の調節可能マウス。
（項目７）
前記基部部分に結合される親指調節アセンブリをさらに備える、前記項目のいずれかに記載の調節可能マウス。
（項目８）
前記親指調節アセンブリは、サムレスト部分を後退位置と延在位置との間で移動させるように構成される、項目７に記載の調節可能マウス。
（項目９）
前記親指調節アセンブリは、前記サムレスト部分の本体から延在するシャフトを含み、前記シャフトは、前記基部部分によって結合され、前記サムレスト部分を前記パームレスト部分に向かって移動させ、前記パームレスト部分から離れるように移動させ、前記基部部分に対して上下に移動させる、項目７および８のいずれかに記載の調節可能マウス。
（項目１０）
前記シャフトは、ハブ内に摩擦受容され、伸縮自在方式において、前記サムレスト部分を延在および後退させる、項目９に記載の調節可能マウス。
（項目１１）
前記シャフトは、前記基部部分から延在する枢動支柱と、前記枢動支柱を中心として回転するように構成されるブラケットとによって、前記基部部分に結合され、前記シャフトは、前記基部部分に対して枢動するように構成される、項目９および１０のいずれかに記載の調節可能マウス。
（項目１２）
前記枢動支柱は、前記基部部分の湾曲上部から延在する、項目１１に記載の調節可能マウス。
（項目１３）
前記枢動支柱は、円筒形シャフトと、前記円筒形シャフトをその中に摩擦受容するように構成される円筒形ハブとを含み、前記円筒形シャフトは、一端において、前記ブラケットに固着され、他端は、前記円筒形ハブ内に摩擦受容され、前記円筒形ハブは、前記基部部分の湾曲上部上に搭載される、項目１１および１２のいずれかに記載の調節可能マウス。
（項目１４）
前記円筒形シャフトは、前記ブラケットに固着され、前記円筒形ハブおよび前記円筒形シャフトが、前記枢動支柱に対して回転することを可能にする、項目１３に記載の調節可能マウス。
（項目１５）
前記シャフトは、ボール継手によって、前記サムレスト部分に固着される、項目９−１４のいずれかに記載の調節可能マウス。
（項目１６）
調節可能マウスであって、
基部部分と、
前記基部部分に結合されるパームレスト部分であって、前記パームレスト部分は、所望の角度の傾斜において前記基部部分に固着されるように構成される、パームレスト部分と、
前記基部部分に結合される親指調節アセンブリであって、前記親指調節アセンブリは、サムレスト部分を後退位置と延在位置との間で移動させるように構成される、親指調節アセンブリと
を備える、調節可能マウス。
（項目１７）
前記親指調節アセンブリは、前記サムレスト部分の本体から延在するシャフトを含み、前記シャフトは、前記パームレスト部分によって結合され、前記サムレスト部分を前記パームレスト部分に向かって移動させ、前記パームレスト部分から離れるように移動させ、前記基部部分に対して上下に移動させる、項目１６に記載の調節可能マウス。
（項目１８）
前記シャフトは、前記基部部分から延在する枢動支柱と、前記枢動支柱を中心として回転するように構成されるブラケットとによって、前記基部部分に結合され、前記シャフトは、前記基部部分に対して枢動するように構成される、項目１７に記載の調節可能マウス。
（項目１９）
前記枢動支柱は、前記基部部分の湾曲上部から延在する、項目１８に記載の調節可能マウス。
（項目２０）
前記枢動支柱は、円筒形シャフトと、前記円筒形シャフトをその中に摩擦受容するように構成される円筒形ハブとを含み、前記円筒形シャフトは、一端において、前記ブラケットに固着され、他端は、前記円筒形ハブ内に摩擦受容され、前記円筒形ハブは、前記基部部分の湾曲上部上に搭載される、項目１８および１９のいずれかに記載の調節可能マウス。
（項目２１）
前記円筒形シャフトは、前記ブラケットに固着され、前記円筒形ハブおよび前記円筒形シャフトが、前記枢動支柱に対して回転することを可能にする、項目２０に記載の調節可能マウス。
（項目２２）
前記パームレスト部分を所望の角度の傾斜において前記基部部分に固着させるように構成される機構をさらに備える、項目１６−２１のいずれかに記載の調節可能マウス。
（項目２３）
前記機構は、２１度の示される最小角度〜３６度の最大角度の前記パームレスト部分と前記基部部分との間の傾斜角度を達成するように構成される、項目２２に記載の調節可能マウス。
（項目２４）
前記機構は、前記パームレスト部分の湾曲底部内に形成される少なくとも１つのスロットと、少なくとも１つのスライドアンカと、少なくとも１つのスライドレールとを含み、前記少なくとも１つのスライドレールは、前記少なくとも１つのスロット内に位置付けられる、項目２２および２３のいずれかに記載の調節可能マウス。
（項目２５）
前記機構はさらに、前記少なくとも１つのスライドアンカを前記少なくとも１つのスライドレールに締結させ、前記パームレスト部分の底部を前記少なくとも１つのスライドアンカと前記少なくとも１つのスライドレールとの間に圧着するねじ山付き締結具を含む、項目２２−２４のいずれかに記載の調節可能マウス。
（項目２６）
前記機構は、２つのスロットと、２つの個別のスライドアンカおよびスライドレールとを含む、項目２２−２５のいずれかに記載の調節可能マウス。